【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
搬送ラインの両側に配置される一対のフィードバーを閉じることにより、前記一対のフィードバーに設けられた一対の爪により、ワーク搬入部に設置されたワークを両側から挟持するとともに、その挟持状態で、前記一対のフィードバーを搬送ラインに沿って前進させてから開くことにより、ワークをワーク処理部に移載する一方、前記ワーク処理部に移載されたワークに対し、鍛造加工を行うようにした鍛造加工方法であって、
ワークに係合部を設けるとともに、前記爪に被係合部を設けておき、
ワークを前記一対の爪により挟持する際に、前記係合部を前記被係合部に係合させることにより、ワークの位置決めを図るようにしたことを特徴とする鍛造加工方法。
【請求項２】
前記係合部および前記被係合部のうち一方を、位置決め凸部によって構成するとともに、残り一方を、前記位置決め凸部を嵌合して位置決めを図る位置決め凹部によって構成するようにした請求項１に記載の鍛造加工方法。
【請求項３】
前記ワーク処理部の搬送ラインに沿って下流側にワーク排出部を設けるとともに、前記一対のフィードバーに前記一対の爪を複数組設けておいて、
前記一対のフィードバーを閉じることにより、対応する各組の爪によって前記ワーク搬入部および前記ワーク処理部のワークをそれぞれ挟持し、その挟持状態で、前記一対のフィードバーを前進させてから開くことにより、各組の爪に挟持されたワークを、前記ワーク処理部および前記ワーク排出部にそれぞれ移載するようにした請求項１または２に記載の鍛造加工方法。
【請求項４】
前記ワーク処理部は、搬送ライン沿って配置される複数のワーク処理部を有し、
前記一対のフィードバーを閉じることにより、対応する各組の爪によって前記ワーク搬入部および前記複数のーク処理部のワークをそれぞれ挟持し、その挟持状態で、前記一対のフィードバーを前進させてから開くことにより、各組の爪に挟持されたワークを前記複数のワーク処理部および前記ワーク排出部にそれぞれ移載するようにした請求項３に記載の鍛造加工方法。
【請求項５】
前記ワーク処理部は、第１ワーク処理部と、その第１ワーク処理部に対して下流側に配置される第２ワーク処理部とを有し、
前記第１ワーク処理部を、ワークに対し型鍛造による１次成形を行って１次成形品を得る１次成形部として構成するとともに、
前記第２ワーク処理部を、１次成形品に対し型鍛造による２次成形を行って２次成形品を得る２次成形部として構成するようにした請求項３または４に記載の鍛造加工方法。
【請求項６】
ワークの前記係合部を、前記１次成形によって形成するようにした請求項５に記載の鍛造加工方法。
【請求項７】
ワークとしての１次成形品に形成される前記係合部を、位置決め凸部によって構成し、
前記１次成形後に前記位置決め凸部の少なくとも一部を押し込んで増肉させることにより、２次成形品の体積バランスを図るようにした請求項５または６に記載の鍛造加工方法。
【請求項８】
前記位置決め凸部の押し込みを、前記２次成形により行うようにした請求項７に記載の鍛造加工方法。
【請求項９】
ワークとしての１次成形品に形成される前記係合部を、位置決め凸部によって構成し、
前記１次成形後に前記位置決め凸部を除去することにより、２次成形品の体積バランスを図るようにした請求項５または６に記載の鍛造加工方法。
【請求項１０】
２次成形品として、ランド部の一面側に一対のスカート部および一対のピンボス部が一体に形成されたピストン素材が作製されるようにした請求項５〜９のいずれか１項に記載の鍛造加工方法。
【請求項１１】
前記係合部を、１次成形品における前記スカート部に対応するスカート予定部の外周面に、形成するようにした請求項１０に記載の鍛造加工方法。
【請求項１２】
前記位置決め凸部の両側に、その凸部を前記位置決め凹部に案内するためのガイド部が設けられる請求項２に記載の鍛造加工方法。
【請求項１３】
ワークとして、アルミニウムまたはアルミニウム合金製のものが用いられる請求項１〜１２のいずれか１項に記載の鍛造加工方法。
【請求項１４】
搬送ラインの両側に配置される一対のフィードバーが閉じられることにより、前記一対のフィードバーに設けられた一対の爪により、ワーク搬入部に設置されたワークが両側から挟持されるとともに、その挟持状態で、前記一対のフィードバーが搬送ラインに沿って前進してから開くことにより、ワークがワーク処理部に移載される一方、前記ワーク処理部に移載されたワークに対し、鍛造加工が行われるようにした鍛造加工装置であって、
ワークに係合部が設けられるとともに、前記爪に被係合部が設けられ、
ワークが前記一対の爪により挟持される際に、前記係合部が前記被係合部に係合することにより、ワークの位置決めが図られるようにしたことを特徴とする鍛造加工装置。
【請求項１５】
前記ワーク処理部の搬送ラインに沿って下流側にワーク排出部が設けられ、
前記ワーク処理部は、第１ワーク処理部と、その第１ワーク処理部に対して下流側に配置される第２ワーク処理部とを有し、
前記一対のフィードバーが閉じられることにより、対応する各組の爪によって前記ワーク搬入部および前記第１，２ワーク処理部のワークがそれぞれ挟持され、その挟持状態で、前記一対のフィードバーを前進させてから開くことにより、各組の爪に挟持されたワークが前記第１，２ワーク処理部および前記ワーク排出部にそれぞれ移載されるように構成され、
前記第１ワーク処理部に、ワークに対し１次成形を行って１次成形品を得るための１次成形金型が設けられるとともに、
前記第２ワーク処理部に、１次成形品に対し２次成形を行って２次成形品を得るための２次成形金型が設けられる請求項１４に記載の鍛造加工装置。
【請求項１６】
搬送ラインの両側に配置される一対のフィードバーを閉じることにより、前記一対のフィードバーに設けられた一対の爪により、ワーク搬入部に設置されたワークを両側から挟持するとともに、その挟持状態で、前記一対のフィードバーを搬送ラインに沿って前進させてから開くことにより、ワークをワーク処理部に移載するようにしたワークのトランスファ方法であって、
ワークに係合部を設けるとともに、前記爪に被係合部を設けておき、
ワークを前記一対の爪により挟持する際に、前記係合部を前記被係合部に係合させることにより、ワークの位置決めを図るようにしたことを特徴とするワークのトランスファ方法。
【請求項１７】
搬送ラインの両側に配置される一対のフィードバーが閉じられることにより、前記一対のフィードバーに設けられた一対の爪により、ワーク搬入部に設置されたワークが両側から挟持されるとともに、その挟持状態で、前記一対のフィードバーが搬送ラインに沿って前進してから開くことにより、ワークがワーク処理部に移載されるようにしたワークのトランスファ装置であって、
ワークに係合部が設けられるとともに、前記爪に被係合部が設けられ、
ワークが前記一対の爪により挟持される際に、前記係合部が前記被係合部に係合することにより、ワークの位置決めが図られるようにしたことを特徴とするワークのトランスファ装置。
【手続補正２】
【補正対象書類名】明細書
【補正対象項目名】全文
【補正方法】変更
【補正の内容】
【発明の詳細な説明】
【発明の名称】鍛造加工方法
【技術分野】
【０００１】
この発明は例えば、移載されるワークに対して鍛造加工を行うようにした鍛造加工方法およびその関連技術に関する。
【背景技術】
【０００２】
連続した複数の鍛造加工によって、ワークを成形するようにした多段式鍛造加工装置が周知である。
【０００３】
従来の多段式鍛造加工装置は例えば下記特許文献１，２に示すように、ワークに対し１次成形を行うための１次成形金型と、１次成形されたワークに対し２次成形を行うための２次成形金型と、ワークを１次成形金型から２次成形金型に移載するためのトランスファ装置とを備えている。
【０００４】
トランスファ装置は通常、搬送ラインの両側に並列に配置される一対のフィードバーと、一対のフィードバーの内側に互いに対向して設けられた一対の爪とを備えている。そして、一対のフィードバーが閉じられることにより、例えば１次成形金型において成形されたワーク（１次成形品）が一対の爪により挟持（チャック）され、その状態で、フィードバーが搬送ラインに沿って下流側に移動して、ワークが２次成形金型に対応する位置に配置される。その後、一対のフィードバーが開いて、ワークのチャックが解除されることにより、ワークが２次成形金型にセットされるようになっている。
【特許文献１】実公昭６３−２８１７３７号公報
【特許文献２】特開２００７−１３０６８０号公報
【発明の開示】
【発明が解決しようとする課題】
【０００５】
上記のように鍛造を複数回行う多段式鍛造加工装置においては、エンジンピストン素材のような複雑な形状の２次成形品を得ることが可能であるが、２次成形によって複雑な形状に加工するものであるため、１次成形による１次成形品は、２次成形で欠陥が発生しないように、予め綿密に計算された体積バランスを有する形状となっている。このため１次成形品が２次成形金型にセットされた際に、１次成形品の位置がずれていると、２次成形を精度良く行うことができず、細部での欠肉や肉の巻き込み等の欠陥（成形不良）が発生する、という課題を抱えている。
【０００６】
この発明は、上記の課題に鑑みてなされたものであり、１次成形金型等の上流側ワーク処理部から２次成形金型等の下流側ワーク処理部にワークを移載する際に、ワークの位置がずれるのを防止できて、鍛造加工を精度良く行うことができる鍛造加工方法およびその関連技術を提供することを目的とする。
【課題を解決するための手段】
【０００７】
上記の目的を達成するため、本発明は、以下の構成を備えている。
【０００８】
［１］搬送ラインの両側に配置される一対のフィードバーを閉じることにより、前記一対のフィードバーに設けられた一対の爪により、ワーク搬入部に設置されたワークを両側から挟持するとともに、その挟持状態で、前記一対のフィードバーを搬送ラインに沿って前進させてから開くことにより、ワークをワーク処理部に移載する一方、前記ワーク処理部に移載されたワークに対し、鍛造加工を行うようにした鍛造加工方法であって、
ワークに係合部を設けるとともに、前記爪に被係合部を設けておき、
ワークを前記一対の爪により挟持する際に、前記係合部を前記被係合部に係合させることにより、ワークの位置決めを図るようにしたことを特徴とする鍛造加工方法。
【０００９】
［２］前記係合部および前記被係合部のうち一方を、位置決め凸部によって構成するとともに、残り一方を、前記位置決め凸部を嵌合して位置決めを図る位置決め凹部によって構成するようにした前項１に記載の鍛造加工方法。
【００１０】
［３］前記ワーク処理部の搬送ラインに沿って下流側にワーク排出部を設けるとともに、前記一対のフィードバーに前記一対の爪を複数組設けておいて、
前記一対のフィードバーを閉じることにより、対応する各組の爪によって前記ワーク搬入部および前記ワーク処理部のワークをそれぞれ挟持し、その挟持状態で、前記一対のフィードバーを前進させてから開くことにより、各組の爪に挟持されたワークを、前記ワーク処理部および前記ワーク排出部にそれぞれ移載するようにした前項１または２に記載の鍛造加工方法。
【００１１】
［４］前記ワーク処理部は、搬送ライン沿って配置される複数のワーク処理部を有し、
前記一対のフィードバーを閉じることにより、対応する各組の爪によって前記ワーク搬入部および前記複数のーク処理部のワークをそれぞれ挟持し、その挟持状態で、前記一対のフィードバーを前進させてから開くことにより、各組の爪に挟持されたワークを前記複数のワーク処理部および前記ワーク排出部にそれぞれ移載するようにした前項３に記載の鍛造加工方法。
【００１２】
［５］前記ワーク処理部は、第１ワーク処理部と、その第１ワーク処理部に対して下流側に配置される第２ワーク処理部とを有し、
前記第１ワーク処理部を、ワークに対し型鍛造による１次成形を行って１次成形品を得る１次成形部として構成するとともに、
前記第２ワーク処理部を、１次成形品に対し型鍛造による２次成形を行って２次成形品を得る２次成形部として構成するようにした前項３または４に記載の鍛造加工方法。
【００１３】
［６］ワークの前記係合部を、前記１次成形によって形成するようにした前項５に記載の鍛造加工方法。
【００１４】
［７］ワークとしての１次成形品に形成される前記係合部を、位置決め凸部によって構成し、
前記１次成形後に前記位置決め凸部の少なくとも一部を押し込んで増肉させることにより、２次成形品の体積バランスを図るようにした前項５または６に記載の鍛造加工方法。
【００１５】
［８］前記位置決め凸部の押し込みを、前記２次成形により行うようにした前項７に記載の鍛造加工方法。
【００１６】
［９］ワークとしての１次成形品に形成される前記係合部を、位置決め凸部によって構成し、
前記１次成形後に前記位置決め凸部を除去することにより、２次成形品の体積バランスを図るようにした前項５または６に記載の鍛造加工方法。
【００１７】
［１０］２次成形品として、ランド部の一面側に一対のスカート部および一対のピンボス部が一体に形成されたピストン素材が作製されるようにした前項５〜９のいずれか１項に記載の鍛造加工方法。
【００１８】
［１１］前記係合部を、１次成形品における前記スカート部に対応するスカート予定部の外周面に、形成するようにした前項１０に記載の鍛造加工方法。
【００１９】
［１２］前記位置決め凸部の両側に、その凸部を前記位置決め凹部に案内するためのガイド部が設けられる前項２に記載の鍛造加工方法。
【００２０】
［１３］ワークとして、アルミニウムまたはアルミニウム合金製のものが用いられる前項１〜１２のいずれか１項に記載の鍛造加工方法。
【００２１】
［１４］搬送ラインの両側に配置される一対のフィードバーが閉じられることにより、前記一対のフィードバーに設けられた一対の爪により、ワーク搬入部に設置されたワークが両側から挟持されるとともに、その挟持状態で、前記一対のフィードバーが搬送ラインに沿って前進してから開くことにより、ワークがワーク処理部に移載される一方、前記ワーク処理部に移載されたワークに対し、鍛造加工が行われるようにした鍛造加工装置であって、
ワークに係合部が設けられるとともに、前記爪に被係合部が設けられ、
ワークが前記一対の爪により挟持される際に、前記係合部が前記被係合部に係合することにより、ワークの位置決めが図られるようにしたことを特徴とする鍛造加工装置。
【００２２】
［１５］前記ワーク処理部の搬送ラインに沿って下流側にワーク排出部が設けられ、
前記ワーク処理部は、第１ワーク処理部と、その第１ワーク処理部に対して下流側に配置される第２ワーク処理部とを有し、
前記一対のフィードバーが閉じられることにより、対応する各組の爪によって前記ワーク搬入部および前記第１，２ワーク処理部のワークがそれぞれ挟持され、その挟持状態で、前記一対のフィードバーを前進させてから開くことにより、各組の爪に挟持されたワークが前記第１，２ワーク処理部および前記ワーク排出部にそれぞれ移載されるように構成され、
前記第１ワーク処理部に、ワークに対し１次成形を行って１次成形品を得るための１次成形金型が設けられるとともに、
前記第２ワーク処理部に、１次成形品に対し２次成形を行って２次成形品を得るための２次成形金型が設けられる前項１４に記載の鍛造加工装置。
【００２３】
［１６］搬送ラインの両側に配置される一対のフィードバーを閉じることにより、前記一対のフィードバーに設けられた一対の爪により、ワーク搬入部に設置されたワークを両側から挟持するとともに、その挟持状態で、前記一対のフィードバーを搬送ラインに沿って前進させてから開くことにより、ワークをワーク処理部に移載するようにしたワークのトランスファ方法であって、
ワークに係合部を設けるとともに、前記爪に被係合部を設けておき、
ワークを前記一対の爪により挟持する際に、前記係合部を前記被係合部に係合させることにより、ワークの位置決めを図るようにしたことを特徴とするワークのトランスファ方法。
【００２４】
［１７］搬送ラインの両側に配置される一対のフィードバーが閉じられることにより、前記一対のフィードバーに設けられた一対の爪により、ワーク搬入部に設置されたワークが両側から挟持されるとともに、その挟持状態で、前記一対のフィードバーが搬送ラインに沿って前進してから開くことにより、ワークがワーク処理部に移載されるようにしたワークのトランスファ装置であって、
ワークに係合部が設けられるとともに、前記爪に被係合部が設けられ、
ワークが前記一対の爪により挟持される際に、前記係合部が前記被係合部に係合することにより、ワークの位置決めが図られるようにしたことを特徴とするワークのトランスファ装置。
【発明の効果】
【００２５】
発明［１］の鍛造加工方法によれば、ワークを一対の爪により挟持する際に、ワークに設けた係合部を爪に設けた被係合部に係合させて、ワークの位置決めを図るようにしているため、ワークの位置ずれを防止できて、鍛造加工を精度良く行うことができる。
【００２６】
発明［２］の鍛造加工方法によれば、ワークの位置決めを確実に図ることができる。
【００２７】
発明［３］の鍛造加工方法によれば、複数のワークを順次並列的に移載することができ、生産効率を向上させることができる。
【００２８】
発明［４］の鍛造加工方法によれば、ワークに対し複数のワーク処理部でワークを処理することができる。
【００２９】
発明［５］の鍛造加工方法によれば、ワークに対し１次成形および２次成形の２段階で成形でき、複雑な形状の鍛造加工品を得ることができる。
【００３０】
発明［６］の鍛造加工方法によれば、１次成形によってワークに係合部を形成するものであるため、係合部を形成する工程を別途行う場合と比較して、生産性を向上させることができる。
【００３１】
発明［７］の鍛造加工方法によれば、鍛造加工品における体積バランスの調整を容易に行うことができる。
【００３２】
発明［８］の鍛造加工方法によれば、係合凸部の押し込みを別途行う場合と比較して、生産性をより一層向上させることができる。
【００３３】
発明［９］の鍛造加工方法によれば、鍛造加工品における体積バランスの調整を容易に行うことができる。
【００３４】
発明［１０］の鍛造加工方法によれば、鍛造加工品としてピストン素材を製造することができる。
【００３５】
発明［１１］の鍛造加工方法によれば、ワークとしての１次成形品を位置決めを確実に図りつつ、安定状態で移載することができる。
【００３６】
発明［１２］の鍛造加工方法によれば、位置決め凸部を位置決め凹部により確実に嵌合させて、ワークの位置決めをより確実に図ることができる。
【００３７】
発明［１３］の鍛造加工方法によれば、アルミニウム製の鍛造加工品を得ることができる。
【００３８】
発明［１４］の鍛造加工装置によれば、上記と同様に、ワークを一対の爪により挟持する際に、ワークに設けた係合部を爪に設けた被係合部に係合させて、ワークの位置決めを図るようにしているため、ワークの位置ずれを防止できて、鍛造加工を位置精度良く行うことができる。
【００３９】
発明［１５］の鍛造加工装置によれば、上記と同様に、複雑な形状を鍛造加工品を得ることができる。
【００４０】
発明［１６］のワークのトランファ方法によれば、上記と同様に、ワークを一対の爪により挟持する際に、ワークに設けた係合部を爪に設けた被係合部に係合させて、ワークの位置決めを図るようにしているため、ワークの位置ずれを防止できて、ワークを位置精度良く移載することができる。
【００４１】
発明［１７］のワークのトランファ装置によれば、上記と同様に、ワークを一対の爪により挟持する際に、ワークに設けた係合部を爪に設けた被係合部に係合させて、ワークの位置決めを図るようにしているため、ワークの位置ずれを防止できて、ワークを位置精度良く移載することができる。
【発明を実施するための最良の形態】
【００４２】
図１はこの発明の実施形態である鍛造加工方法が適用された多段式鍛造加工装置を示す概略平面図、図２は側面図である。両図に示すように、この鍛造加工装置は、トランスファ装置（４）によって順次移載されるワーク（Ｗ）に対し、１次成形および２次成形の２種類の型鍛造加工を行えるようになっている。
【００４３】
この鍛造加工装置は、搬送ラインに沿って上流側（同図左側）から下流側（右側）にかけて、ワーク搬入部（５０）、１次および２次成形部（５１）（５２）およびワーク排出部（５３）がこの順に順次設けられている。
【００４４】
なお本実施形態において、以下に詳述する鍛造加工装置、金型１，２等の装置を構成する部材、ワークＷ等については、図１，２の右側（ワーク排出側、下流側）から左側（ワーク搬入側、上流側）を見た場合を正面としている。
【００４５】
本実施形態において、ワーク搬入部（５０）は、搬入コンベア（５６）等のワーク搬入手段の下流側端部によって構成されている。そして搬入コンベア（５６）によって、ワーク（Ｗ）が装置外部から内部に搬入されて、コンベア端部、つまりワーク搬入部（５０）まで搬送されて待機されるようになっている。
【００４６】
１次成形部（５１）は、第１ワーク処理部を構成するものであり、２次成形部（５２）は、第２ワーク処理部を構成するものである。１次成形部（５１）および２次成形部（５２）には、１次成形金型（１）および２次成形金型（２）がそれぞれ設けられている。そして１次成形部（５１）において、ワーク（Ｗ）に対し、１次成形金型（１）によって荒成形等の１次成形が行われるとともに、２次成形部（５２）において、ワーク（Ｗ）に対し、２次成形金型（２）によって本成形（仕上げ成形）等の２次成形が行われるようになっている。
【００４７】
ワーク排出部（５３）は、搬出コンベア（５７）等のワーク搬出手段の上流側端部によって構成されている。そして、コンベア端部、つまりワーク排出部（５３）に配置されたワーク（Ｗ）が、排出コンベア（５７）によって装置外部に搬出されるようになっている。
【００４８】
またこの鍛造加工装置には、トランスファ装置（４）が設けられ、このトランスファ装置（４）によって、ワーク（Ｗ）をワーク搬入部（５０）から、１次成形部（５１）、２次成形部（５２）およびワーク排出部（５３）に順次移載できるようになっている。
【００４９】
なお本実施形態においては、１次成形前のワーク（Ｗ）を鍛造素材（Ｗ０）と称し、１次成形後、２次成形前のワーク（Ｗ）を１次成形品（Ｗ１）と称し、２次成形後のワーク（Ｗ）を２次成形品（Ｗ２）、鍛造加工品（Ｗ２）またはピストン素材（Ｗ２）と称するものである。また鍛造素材（Ｗ０）、１次成形品（Ｗ１）および２次成形品（Ｗ２）を総称して、ワーク（Ｗ）と称するものである。
【００５０】
図４に示すように、本実施形態の鍛造加工装置によって製造される２次成形品としてのピストン素材（Ｗ２）は、円形のランド部（９１）を備え、ランド部（９１）の一面側（下面側）に、一対のスカート部（９２）（９２）、一対のピンボス部（９３）（９３）、およびサイドウォール部（９４）が一体に設けられている。
【００５１】
一対のスカート部（９２）（９２）は、ランド部（９１）の一面側における外周縁部の左右両側端部に、下面側に突出するように設けられている。
【００５２】
一対のピンボス部（９３）（９３）は、ランド部（９１）の一面側における中間部の前後両側に、下面側に突出するように設けられている。
【００５３】
サイドウォール部（９４）は、前後一対のピンボス部（９３）（９３）の左右両側にそれぞれ設けられ、前側のピンボス部（９３）の左右両側と一対のスカート部（９２）（９２）の各前端部との間を連結するとともに、後側のピンボス部（９３）の左右両側と一対のスカート部（９２）（９２）の各後端部との間を連結する態様に、下面側に突出するように設けられている。
【００５４】
図５，６に示すように、本実施形態の１次成形品（Ｗ１）は、厚板円板状の本体部（８１）を備え、その本体部（８１）の一面側（下面側）に一対のスカート予定部（８２）（８２）および一対のピンボス予定部（８３）（８３）が一体に設けられている。
【００５５】
一対のスカート予定部（８２）（８２）は、本体部（８１）の一面側における外周縁部の左右両側端部に、下面側に膨出するように設けられており、２次成形によって、スカート部（９２）（９２）に成形される。
【００５６】
一対のピンボス予定部（８３）（８３）は、ランド部（９１）の一面側における中間部の前後両側に、下面側に突出するように設けられており、２次成形によって、ピンボス部（９３）（９３）に成形される。
【００５７】
さらに１次成形品（Ｗ１）の本体部（８１）における外周面の一側部には、係合部を構成する位置決め凸部（８５）が、一側方（外径方向）に突出するように一体に形成されている。
【００５８】
この位置決め凸部（８５）の上側部は、平面形状が、後述するフィードバー（４１）における爪（４２）の内周形状に対応して、台形状に形成されており、その台形状の凸部（８５）の両側部に傾斜面が設けられて、その両側部が両側ガイド部（８６）（８６）として構成されている。さらに位置決め凸部（８５）の下側部には傾斜面が設けられて、その下側部が下側ガイド部（８７）として構成されている。
【００５９】
図７に示すように、本実施形態の鍛造素材（Ｗ０）は、短寸の円柱状（円盤状）の形状を有している。この鍛造素材（Ｗ０）は例えば、アルミニウム（アルミニウム合金を含む）の連続鋳造棒や、連続押出棒をノコ切断処理によって所定の重量相当分の体積に切断したものを使用することができる。
【００６０】
鍛造素材（Ｗ０）の具体的な組成成分は、Ｓｉ：５〜１８質量％、Ｃｕ：２〜５質量％、Ｍｇ：０．３〜１．０質量％、Ｆｅ：０．１〜０．８質量％、Ｎｉ：０．１〜３質量％、Ｍｎ：０．１〜０．５質量％、Ｃｒ：０．１〜０．５質量％を含有したアルミニウム合金を好適例として挙げることができる。
【００６１】
図１，２に示すように、本実施形態のトランスファ装置（４）は、搬送ラインを挟んだ両側に配置される一対のフィードバー（４１）（４１）を備えている。
【００６２】
一対のフィードバー（４１）（４１）は共に搬送ライン（前後方向）に沿って延び、かつ並列に配置されている。一対のフィードバー（４１）（４１）は、図示しない駆動手段によって、互いに接離する方向（左右方向）に移動して開閉できるとともに、同期して前後方向に移動できるようになっている。さらに一対のフィードバー（４１）（４１）は、同期して上下方向に移動できるようになっている。
【００６３】
一対のフィードバー（４１）（４１）の内側には、互いに対向配置される一対の爪（４２）（４２）が、前後方向に沿って所定間隔おきに複数組（３組）設けられている。各爪（４２）は、フィードバー（４１）に爪ホルダー（４３）を介して固定されている。
【００６４】
各組の爪（４２）（４２）は、一対のフィードバー（４１）（４１）が後退した状態（図１の左側に移動した状態）では、ワーク搬入部（５０）および成形部（５１）（５２）に対応してそれぞれ配置されるとともに、一対のフィードバー（４１）（４１）が前進した状態（図１の右側に移動した状態）では、成形部（５１）（５２）およびワーク排出部（５３）に対応してそれぞれ配置される。そして一対のフィードバー（４１）（４１）が後退した状態で閉じられると、ワーク搬入部（５０）および成形部（５１）（５２）に設置された各ワーク（Ｗ）が、対応する各組の爪（４２）（４２）に挟持（チャック）されるようになっている。さらにその挟持状態で、一対のフィードバー（４１）（４１）が上昇してから前進すると（図１の右側に移動すると）、３組の爪（４２）（４２）が、成形部（５１）（５２）およびワーク排出部（５３）に対応して配置される。さらにその状態で、一対のフィードバー（４１）（４１）が降下してから開かれると、各爪（４２）による挟持が解除されて、各ワーク（Ｗ）が、成形部（５１）（５２）およびワーク排出部（５３）に設置される。これにより、ワーク搬入部（５０）および成形部（５１）（５２）に設置されていた各ワーク（Ｗ）が、成形部（５１）（５２）およびワーク排出部（５３）に移載されることになる。なお、移載後に一対のフィードバー（４１）（４１）は、後退することにより図１の左側に移動して開いたままの状態（初期状態）で待機するようになっている。
【００６５】
こうしてワーク（Ｗ）が順次並列的に移載されることにより、ワーク搬入部（５０）に順次供給されるワーク（Ｗ）が、１次成形部（５１）、２次成形部（５２）およびワーク排出部（５３）に順次移載されて、順次排出されるようになっている。
【００６６】
ここで本実施形態において図１，３に示すように、トランスファ装置（４）の各爪（４２）は、平面視において、内側の中間部にＶ溝状ないしＵ溝状の位置決め凹部（４５）を有しており、その位置決め凹部（４５）の内周形状が、上記した１次成形品（Ｗ１）における位置決め凸部（８５）の外周形状に対応して台形状に形成されている。この台形状の位置決め凹部（４５）の両側内面は、位置決め凸部（８５）の両側ガイド部（８６）（８６）に対応して、傾斜するように形成されて、両側ガイド部（４６）（４６）として構成されている。
【００６７】
そして、１次成形品（Ｗ１）を、対応する一対の爪（４２）（４２）によって挟持した際には、後に詳述するように一方側の爪（４２）の位置決め凹部（４５）内に、１次成形品（Ｗ１）の位置決め凸部（８５）が嵌合されて、１次成形品（Ｗ１）の位置決めが図られるようになっている。
【００６８】
なお本実施形態においては、爪（４２）の位置決め凹部（４５）が、被係合部として構成されるものである。
【００６９】
さらに本実施形態においては、１次成形品（Ｗ１）の位置決め凸部（８５）の形状を、爪（４２）の位置決め凹部（４５）の形状に対応させて形成するものであり、爪（４２）が元来保有する凹部を位置決め凹部（４５）として利用している。
【００７０】
図２に示すように、本実施形態の鍛造加工装置には、１次成形部（５１）に１次成形金型（１）が配置されるとともに、２次成形部（５２）に２次成形金型（２）が配置されている。
【００７１】
図２，８に示すように、１次成形金型（１）は、下金型（１１）と、上金型としてのパンチ（１６）とを備えている。
【００７２】
下金型（１１）は、上方に向けて開放し、かつ１次成形品（Ｗ１）を成形するための成形孔（１２）を有している。この成形孔（１２）の内周面は、１次成形品（Ｗ１）の上端面を除く外周面形状に対応して形成されている。すなわち、成形孔（１２）の内面には、１次成形品（Ｗ１）における本体部（８１）、スカート予定部（８２）およびピンボス予定部（８３）を形成するための凹部（型部）がそれぞれ設けられている。
【００７３】
さらに成形孔（１２）の内周側面には、位置決め凸部（８５）を形成するための凹溝形状の位置決め凸部用雌型部（１３）が、位置決め凸部（８５）の外面形状に対応して形成されている。
【００７４】
この構成の下金型（１１）が、下プレート（１０）に下金型ホルダー（１４）を介して組み付けられている。
【００７５】
パンチ（１６）における下側部は、下金型（１１）の成形孔（１２）に適合状態に挿入可能な形状に形成されている。このパンチ（１６）の外周側面には、上記下金型（１１）の位置決め凸部用雌型部（１３）に対応して、凸条形状の位置決め凸部用雄型部（１７）が形成されている。
【００７６】
この構成のパンチ（１６）が、上プレート（２０）にパンチホルダー（１８）を介して組み付けられている。
【００７７】
上プレート（２０）は、図示しない昇降駆動手段によって上下方向に昇降駆動するように構成されており、上プレート（２０）の昇降駆動によってパンチ（１８）が下金型（１１）の成形孔（１２）内に打ち込まれるようになっている。さらにこの打ち込み時には、パンチ（１８）の位置決め凸部用雄型部（１７）が、下金型（１１）の雌型凹部（１３）内に打ち込まれるようになっている。
【００７８】
なお下金型（１１）における成形孔（１２）の底部には、ノックアウトピン（図示省略）が成形孔（１２）の底面から上方に突出可能に収容されている。そして後述するように、下金型（１１）の成形孔（１２）内で成形された１次成形品（Ｗ１）は、ノックアウトピンにより突き上げられて、１次成形品（Ｗ１）が、下金型（１１）の成形孔（１２）から上方へ所定量突出して配置されるようになっている。
【００７９】
図９，１０に示すように、２次成形用金型（２）は、下金型（２１）と、上金型としてのパンチ（２６）とを備えている。
【００８０】
下金型（２１）は、上方に向けて開放し、かつ２次成形品（Ｗ２）を成形するための成形孔（２２）を有している。この成形孔（２２）の内周面は、２次成形品（Ｗ２）の上端面を除く外周面形状に対応して形成されている。すなわち成形孔（２２）の内面には、２次成形品（Ｗ２）におけるランド部（９１）、スカート部（９２）、ピンボス部（９３）およびサイドウォール部（９４）を形成するための凹部がそれぞれ設けられている。
【００８１】
さらに成形孔（１２）の内周側面には、位置決め凸部（８５）に対応して、凹溝形状の位置決め凸部用雌型凹部（２３）が形成されている。
【００８２】
この構成の下金型（２１）が、下プレート（１０）に下金型ホルダー（２４）を介して組み付けられている。
【００８３】
パンチ（２６）における下側部は、下金型（２１）の成形孔（２２）に適合状態に挿入可能な形状に形成されている。このパンチ（２６）の外周側面には、上記下金型（２１）の位置決め凸部用雌型部（２３）に対応して、凸条形状の位置決め凸部用雄型部（２７）が形成されている。
【００８４】
この構成のパンチ（２６）が、上プレート（２０）にパンチホルダー（２８）を介して組み付けられている。
【００８５】
そして上プレート（２０）が降下すると、２次成形用パンチ（２６）が、上記１次成形用パンチ（１６）と同期して降下し、２次成形用金型（２）の成形孔（２２）内に打ち込まれるようになっている。さらにこの打ち込み時には、２次成形用パンチ（２６）の位置決め凸部用雄型部（２７）が、下金型（２１）の雌型部（２３）内に打ち込まれるようになっている。
【００８６】
なおこの２次成形用金型（２）においても、上記１次成形用金型（１）と同様、下金型（２１）における成形孔（２２）の底部には、ノックアウトピン（図示省略）が突出可能に収容されており、成形後に２次成形品（Ｗ２）がノックアウトピンにより突き上げられて、２次成形品（Ｗ２）が下金型（２１）の成形孔（２２）から上方に所定量突出して配置されるようになっている。
【００８７】
本実施形態の多段式鍛造加工装置において、鍛造加工を行う際の条件（鍛造条件）は以下の通りである。すなわちワーク（Ｗ）の温度は３８０〜５４０℃、１次成形金型（１）および２次成形金型（２）における上金型（パンチ）温度は１００〜２５０℃、下金型温度は１５０〜３７０℃に設定される。なお本実施形態では１次成形および２次成形の連続成形を行うものであるため、ワーク温度は１次成形目では、高めに設定しておくのが良い。すなわち１次成形目でのワーク温度を、ワーク（Ｗ）の固相線温度に対し−３０〜−６０℃に設定しておき、金型への抜熱により、２次成形目では１次成形目のワーク温度に対し−２０〜−６０℃となるように設定するのが良い。さらに好ましくは、２次成形目のワーク温度が３７０℃以下にならないように設定するのが良い。
【００８８】
またワーク（Ｗ）への潤滑剤としては、黒鉛系潤滑剤を使用し、浸漬処理またはボンデ処理によって塗布するものである。さらに金型への潤滑剤としては、水性黒鉛系潤滑剤、または油性黒鉛系潤滑剤と水性黒鉛系潤滑剤とを併用したものを使用する。さらに金型への潤滑は、１次成形時および２次成形時共に実施するものである。
【００８９】
次に本実施形態の鍛造加工装置における鍛造動作について説明する。なおこの装置においては、１次成形および２次成形が同時並列的に行われ、複数のワーク（Ｗ）が同時並列的に移載されるものであるが、以下の説明においては、発明の理解を容易にするため、１つの鍛造素材（Ｗ０）において、順次行われる各種動作を時系列的に説明するものとする。
【００９０】
まず一対のフィードバー（４１）（４１）は後退位置で開いた状態となっており、この初期状態で、装置外部から搬入コンベア（５６）によって鍛造素材（Ｗ０）が搬入されて、ワーク待機部（５０）に配置される。このとき鍛造素材（Ｗ０）はその軸心が上下方向（垂直方向）に向くように配置されている。
【００９１】
続いて、一対のフィードバー（４１）（４１）が閉じられて、ワーク搬入部（５０）の鍛造素材（Ｗ０）の上側部が、１組目（図１の左側端部）の爪（４２）（４２）によって両側から挟持される。
【００９２】
その後、一対のフィードバー（４１）（４１）が上昇してから前進し、１組目の爪（４２）（４２）によって挟持された鍛造素材（Ｗ０）が、１次成形部（５１）における下金型（１１）の成形孔（１２）に対応して配置される。
【００９３】
続いて、一対のフィードバー（４１）（４１）が降下する。このとき、鍛造素材（Ｗ０）は、上記したように上側部が一対の爪（４２）（４２）によって挟持されて、下側部は下方に突出した状態となっている。従って、フィードバー降下時に、一対の爪（４２）（４２）に挟持された鍛造素材（Ｗ０）の下側部は、下金型（１１）の成形孔（１２）の上側部に挿入される。
【００９４】
そしてその挿入状態で、一対のフィードバー（４１）（４１）が開いて、鍛造素材（Ｗ０）への挟持が解除されて、鍛造素材（Ｗ０）が、下金型（１１）の成形孔（１２）内に投入される。ここで本実施形態においては、鍛造素材（Ｗ０）の下側部が成形孔（１２）に挿入された状態で、鍛造素材（Ｗ０）への挟持を解除させるようにしているため、鍛造素材（Ｗ０）は、成形孔（１２）内に精度良く確実に収容される。このため例えば、挿入時に鍛造素材（Ｗ０）が位置ずれしたり、正規の姿勢とは異なる姿勢で挿入される等、設置不良が発生するのを確実に防止することができる。従って後述の型成形を、精度良くスムーズに行うことができる。
【００９５】
ここで本実施形態においては、一対の爪（４２）（４２）によって、鍛造素材（Ｗ０）の上側部を挟持するのが好ましい。すなわち、一対の爪（４２）（４２）によって、鍛造素材（Ｗ０）の下側部を挟持していると、フィードバー（４１）（４１）を降下させた際に、一対の爪（４２）（４２）が下金型（１１）に干渉することにより、鍛造素材（Ｗ０）の下側部を、成形孔（１２）に挿入した状態に配置することができず、フィードバー（４１）（４１）を開いた際に、鍛造素材（Ｗ０）を位置精度良く成形孔（１２）に投入することが困難になるおそれがある。そこで本実施形態においては、一対の爪（４２）（４２）によって、鍛造素材（Ｗ０）の上側部を挟持しておくことにより、フィードバー（４１）（４１）を降下させた際に、鍛造素材（Ｗ０）の下側部を確実に成形孔（１２）に挿入した状態に配置することができ、フィードバー（４１）（４１）を開いた際に、鍛造素材（Ｗ０）を確実に成形孔（１２）内に投入することができる。
【００９６】
続いて、上プレート（２０）が降下してパンチ（１６）が下金型（１１）の成形孔（１２）に打ち込まれて、鍛造素材（Ｗ０）が成形孔（１２）の各凹部内に圧入されて、１次成形品（Ｗ１）に成形される。
【００９７】
この１次成形品（Ｗ１）は、既述したように、本体部（８１）、スカート予定部（８２）およびピンボス予定部（８３）に加えて、本体部（８１）における外周面の一側部に外径方向に突出する位置決め凸部（８５）を備えている。
【００９８】
なお図８の波線は、パンチ（１６）を打ち込んだ際における最下端位置のパンチ（１６）の状態を示している。
【００９９】
パンチ（１６）の打ち込みが完了した後、上プレート（２０）およびパンチ（１６）が上昇してから、１次成形品（Ｗ１）は、上記ノックアウトピンによって突き上げられて、１次成形品（Ｗ１）の上側部が、成形孔（１２）から上方に突出した状態に配置される。
【０１００】
一方、この成形中において、一対のフィードバー（４１）（４１）は後退して初期状態に戻っており、上記したように１次成形品（Ｗ１）がノックアウトピンにより上方に突き上げられると、一対のフィードバー（４１）（４１）が閉じられて、１次成形部（５１）の１次成形品（Ｗ１）の上側部が、２組目（図１の左側から２番目）の爪（４２）（４２）によって両側から挟持される。
【０１０１】
このとき、１次成形品（Ｗ１）に形成された位置決め凸部（８５）が、一方側の爪（４２）の位置決め凹部（４５）内に適合状態に係合（嵌合）することによって、１次成形品（Ｗ１）のトランスファ装置（４）に対する位置決めが図られる。
【０１０２】
ここで、１次成形品（Ｗ１）を爪（４２）（４２）により挟持する際に多少、１次成形品（Ｗ１）の位置がずれていたとしても、その位置ずれは修正される。すなわち図３に示すように、爪（４２）（４２）によって挟持される際に、１次成形品（Ｗ１）の位置がずれていると、１次成形品（Ｗ１）の位置決め凸部（８５）の外周角部が、位置決め凹部（４５）の両側ガイド部（４６）（４６）に当接してガイドされることにより、または位置決め凹部（４５）の開口縁部が、位置決め凸部（８５）のガイド部（８６）（８６）に当接してガイドされることにより、１次成形品（Ｗ１）が微動しながら位置を修正していく。こうして１次成形品（Ｗ１）の位置ずれが吸収されていき、位置決めが正確に図られたところで、位置決め凸部（８５）が位置決め凹部（４５）に適合される。このように１次成形品（Ｗ１）が、精度良く位置決めされた状態で、トランスファ装置（４）の一対の爪（４２）（４２）に挟持される。
【０１０３】
続いて、一対のフィードバー（４１）（４１）が上昇してから前進し、２番目の一対の爪（４２）（４２）によって挟持された１次成形品（Ｗ１）が、２次成形部（５２）における下金型（２１）の成形孔（２２）に対応して配置される。
【０１０４】
その後図１１に示すように、一対のフィードバー（４１）（４１）が降下して、爪（４２）（４２）によって挟持された１次成形品（Ｗ１）の下側部が、下金型（２１）の成形孔（２２）の上側部に挿入される。さらに１次成形品（Ｗ１）における位置決め凸部（８５）の下側部は、成形孔（２２）における位置決め凸部用雌型部（２３）の上側部に挿入される。
【０１０５】
この状態で、一対のフィードバー（４１）（４１）が開いて、１次成形品（Ｗ１）への挟持が解除されて、１次成形品（Ｗ１）が、位置決め凸部（８５）を成形孔（２２）の位置決め凸部用雌型部（２３）内に挿入させつつ、成形孔（２２）内に投入される。
【０１０６】
この投入時に本実施形態においては、１次成形品（Ｗ１）は一部（下側部）が成形孔（２２）内に挿入された状態で投入されるため、１次成形品（Ｗ１）は、成形孔（２２）内に位置精度良く確実に収容される。その上さらに、１次成形品（Ｗ１）は、置決め凸部（８５）の一部（下側部）が位置決め凸部用雌型部（２３）に挿入された状態で成形孔（２２）内に投入されるため特に、１次成形品（Ｗ１）の軸心回り方向（周方向）の位置決めも正確に行うことができ、１次成形品（Ｗ１）はより一層精度良く下金型（２１）の成形孔（２２）内にセットされる。
【０１０７】
ここで本実施形態においては、上記と同様に、一対のフィードバー（４１）（４１）を降下させた際に、１次成形品（Ｗ１）の下側部を成形孔（２２）に挿入した状態に配置できるように、一対の爪（４２）（４２）によって、１次成形品（Ｗ１）の上側部を挟持するようにしている。
【０１０８】
なお本実施形態において、１次成形品（Ｗ１）が多少位置ずれしていたとしても、１次成形品（Ｗ１）を成形孔（２２）内に投入した際には、位置決め凸部（８５）の下側部に設けられた下側ガイド部（８７）が、下金型（２１）における位置決め凸部用雄型部（２３）の開口縁部に当接してガイドされることにより、１次成形品（Ｗ１）は、確実に下金型（２１）の成形孔（２２）内に収容される。
【０１０９】
その後、上プレート（２０）が降下してパンチ（２６）が下金型（２１）の成形孔（２２）に打ち込まれて、１次成形品（Ｗ１）が成形孔（２２）の各凹部内に圧入されて、２次成形品（Ｗ２）に成形される。この成形により本体部（８１）がランド部（９１）に成形され、スカート予定部（８２）がスカート部（９２）に成形され、ピンボス予定部（８３）がピンボス部（９３）に成形される。さらに位置決め凸部（８５）は、下金型（２１）の位置決め凸部用雌型部（２３）およびパンチ（２６）の位置決め凸部用雄型部（２７）によって挟圧されることにより、軸心方向に圧縮されて、軸心方向が短い位置決め凸部跡（９５）に成形される。
【０１１０】
なお図９の波線は、パンチ（２６）を打ち込んだ際における最下端位置のパンチ（２６）の状態を示している。
【０１１１】
パンチ（２６）の打ち込みが完了した後、上プレート（２０）およびパンチ（２６）が上昇してから、２次成形品（Ｗ２）は、上記ノックアウトピンによって突き上げられて、２次成形品（Ｗ２）の上側部が、成形孔（２２）から上方に突出した状態に配置される。
【０１１２】
一方、この成形中において、一対のフィードバー（４１）（４１）は後退して初期状態に戻っており、上記したように２次成形品（Ｗ２）がノックアウトピンにより上方に突き上げられると、一対のフィードバー（４１）（４１）が閉じられて、２次成形部（５２）の２次成形品（Ｗ２）の上側部が、３組目（図１の右側端部）の爪（４２）（４２）によって両側から挟持される。
【０１１３】
このとき、上記１次成形品（Ｗ１）と同様に、位置決め凸部跡（９５）が、一方側の爪（４２）の位置決め凹部（４５）内に適合状態に係合（嵌合）することによって、２次成形品（Ｗ２）の位置決めが正確に図られる。
【０１１４】
続いて、一対のフィードバー（４１）（４１）が上昇してから前進し、３番目の爪（４２）（４２）によって挟持された２次成形品（Ｗ２）が、ワーク排出部（５３）に対応して配置される。
【０１１５】
その後、一対のフィードバー（４１）（４１）が降下してから開かれて、２次成形品（Ｗ２）への挟持が解除されて、２次成形品（Ｗ２）がワーク排出部（５３）上に載置される。
【０１１６】
ワーク排出部（５３）上に載置された２次成形品（Ｗ２）は、排出コンベア（５７）によって所定の箇所に排出される。こうしてワーク（Ｗ）に対し、一連の鍛造加工が完了する。
【０１１７】
なお既述したように、本実施形態の多段式鍛造加工装置においては、１次成形および２次成形を並列に行うものである。すなわちワーク搬入部（５０）および成形部（５１）（５２）に載置された各ワーク（Ｗ）は、一対のフィードバー（４１）（４１）における３組の爪（４２）（４２）によってそれぞれ同時に挟持されて、成形部（５１）（５２）およびワーク排出部（５３）にそれぞれ同時に移載される。続けて、成形部（５１）（５２）の各ワーク（Ｗ）に対して、１次成形および２次成形が同時に行われる一方、その成形時に、搬入コンベア（５６）によって、ワーク搬入（５０）にワーク（鍛造素材）が搬入されるとともに、ワーク排出部（５３）に配置されたワーク（２次成形品Ｗ２）が、搬出コンベア（５７）によって排出される。このように一対のフィードバー（４１）（４１）によるワーク（Ｗ）の移載動作と、成形動作とが交互に繰り返し行われることにより、複数のワーク（Ｗ）に対し１次成形および２次成形が順次並列的行われて、２次成形品（鍛造加工品）が順次排出されるようになっている。
【０１１８】
またこうして製作された鍛造加工品（Ｗ２）は、必要に応じて、切削処理等が行われて、バリや、位置決め凸部跡（９５）等が除去されて、最終形状の鍛造加工品として形成されるものである。
【０１１９】
以上のように、本実施形態の鍛造加工装置における鍛造加工方法によれば、１次成形によってワーク（Ｗ）に位置決め凸部（８５）を形成するとともに、その凸部（８５）に対応させて、爪（４２）に位置決め凹部（４５）を形成しているため、１次成形品（Ｗ１）を爪（４２）（４２）により挟持した際に、凹凸部（４５）（８５）が係合することによって、１次成形品（Ｗ１）の位置決めを図ることができ、１次成形品（Ｗ１）を２次成形金型（２）に精度良く移載することができる。従って２次成形金型（２）において、１次成形品（Ｗ１）を位置ずれのない正規の姿勢で型成形することができ、高品質の２次成形品（Ｗ２）を確実に得ることができる。
【０１２０】
さらに本実施形態では、１次成形時にワーク（Ｗ）に位置決め凸部（８５）を形成するものであるため、位置決め凸部形成用の工程を別途設ける必要がなく、工程数の増加を防止でき、高い生産性を維持することができる。
【０１２１】
また本実施形態の鍛造加工装置においては、上記のトランスファ装置（４）を用いることにより、一定のサイクルタイム、かつ短時間での搬送が可能となるので、鍛造成形において重要な条件である温度管理、例えば上記したような金型温度やワーク温度の管理を容易にかつ安定的に行うことができ、優れた加工性能をより確実に実現でき、鍛造加工技術において有効である。
【０１２２】
さらに本実施形態の鍛造加工装置は、トランスファ装置（４）を用いることにより、搬送ミスを低減でき、安定した鍛造運転を実現することができる。このため例えば、搬送ミスによる運転停止に起因する金型温度の変動を抑制することができ、上記の温度管理を、より安易にかつ安定的に行うことができ、鍛造加工技術においてより一層有効である。
【０１２３】
ここで本実施形態の鍛造加工装置で製造されたピストン素材（Ｗ２）は図４に示すように、ピストン中心（Ｗ２ｘ）に対し、ピンボス部（９３）の中心（９３ｘ）が、スラスト側（一方側のスカート部）に、所定量（Δｘ）オフセットされている。このためピストン素材（Ｗ２）は、スラスト側の体積が少し大きくなるような体積バランスに形成されている。
【０１２４】
このような状況下にあって、本実施形態のような鍛造加工、特に密閉鍛造加工においては、最終仕上げ成形品としての２次成形品（Ｗ２）の段階で体積バランスを調整しておく必要がある。
【０１２５】
そこで本実施形態においては、１次成形によって１次成形品（Ｗ１）のスラスト側（一方側のスカート部）に対応する位置に位置決め凸部（８５）を形成しておき、２次成形時に位置決め用凸部（８５）を押し込んで、スラスト側の体積を大きくすることにより、体積バランスを的確に調整することが可能である。この体積バランスの調整方法では、２次成形時における凸部（８５）の押し込み量によって調整するものであるため、２次成形前の１次成形において１次成形品（Ｗ１）は体積バランスをさほど考慮せずに作製することができ、体積バランスの調整を容易に行うことができ、生産性をより一層向上させることができる。
【０１２６】
なお、２次成形時に位置決め凸部（８５）を押し込むに際して、上記実施形態においては、位置決め凸部（８５）の一部のみを押し込んで増肉するようにしているが、本発明においては、位置決め凸部（８５）の押し込み量は、特に限定されるものではなく、必要に応じて自由に設定すれば良い。例えば、位置決め凸部（８５）の全体を押し込んで増肉させるようにしても良い。
【０１２７】
また逆に、１次成形品（Ｗ１）において、位置決め凸部（８５）をスラスト側に対し反対側（反スラスト側、他方側のスカート部）に形成しておいて、２次成形後に位置決め凸部（８５）を切除して、体積バランスを調整することも可能である。このように２次成形後に凸部（８５）の削除によりスラスト側の体積を相対的に大きくするような場合には、１次成形時に１次成形品（Ｗ１）の体積バランスを、スラスト側と反スラスト側とで均等に設定することができ、１次成形時の体積バランスの調整を容易に行うことができる。
【０１２８】
このように本実施形態においては、位置決め凸部（８５）をスカート部（スラスト側または反スラスト側）に形成しているため、凸部（８５）の押し込みや、切除によって、鍛造加工品（Ｗ２）の体積バランスを容易に調整することができる。もっとも本発明においては、位置決め凸部（８５）を必ずしもスカート部に形成する必要はなく、他の部分に形成するようにしても良い。
【０１２９】
なお位置決め凸部（８５）を２次成形時において全部押し込まずに少なくとも一部を残存させる場合には、その凸部跡（９５）は、後の切削工程において切除されるものであるが、この凸部跡（９５）を、切削工程において位置決め用に利用することができ、切削作業をスムーズに行うことができる。
【０１３０】
図１２はこの発明の変形例である多段式鍛造加工装置におけるフィードバー（４１）の爪（４２）を示す図である。同図に示すようにこの装置は、上記実施形態と同様、ワーク搬入部、１次成形部、２次成形部およびワーク排出部を備え、各間のワークの移動をトランスファ装置によって行うものである。トランスファ装置は、一対のフィードバー（４１）（４１）を備え、その一対のフィードバー（４１）（４１）には、互いに対向する一対の爪（４２）（４２）が、搬送ラインに沿って所定の間隔おきに複数組設けられている。
【０１３１】
一対の爪（４２）（４２）は平面視矩形状の平板部材によって構成されている。この一対の爪（４２）（４２）の対向面（先端面）は、平坦面（垂直面）によって構成されて、位置決め部（被係合部）として構成されている。
【０１３２】
一方、この鍛造加工装置によって処理されるワーク（Ｗ）において、ワーク素材は、上記実施形態と同様に、円柱形状（円盤形状）のものである。
【０１３３】
さらに１次成形品（Ｗ１）は図１３，１４に示すように、円形の本体部（８１）と、その本体部（８１）の一面側（上面側）における両側に、一面側に突出するように形成された一対のピンボス予定部（８３）（８３）とを一体に備えている。
【０１３４】
一対のピンボス予定部（８３）（８３）は、２次成形によってピンボス部に成形されるものであって、直方体の形状を有している。このピンボス予定部（８３）（８３）の外側面は、垂直面によって構成されて、位置決め部（係合部）として構成されている。
【０１３５】
なおこの鍛造加工装置においては、ワーク（Ｗ）の上面側に、ピンボス部、スカート部、サイドウォール部を形成するものである。すなわち図１５に示すようにこの鍛造加工装置の１次成形金型（１）は、その上金型としてのパンチ（１６）に、ピンボス予定部（８３）（８３）を成形するためのピンボス予定部成形凹部（１６１）（１６１）が形成されている。さらに図１６に示すように、２次成形金型（２）は、その上金型としてのパンチ（２６）に、ピンボス部を成形するためのピンボス部成形凹部（２６１）（２６１）が形成されている。
【０１３６】
この変形例において、他の構成は、上記実施形態と同様であるため、同一または相当部分に同一または相当符号を付して重複説明は省略する。
【０１３７】
この鍛造加工装置において、１次成形金型（２）で成形された後、一対のフィードバー（４１）（４１）が閉じられる。これにより図１２に示すように、一対の爪（４２）（４２）の先端面が、１次成形品（Ｗ１）におけるピンボス予定部（８３）（８３）の両側外面に当接することにより、１次成形品（Ｗ１）が一対の爪（４２）（４２）によって挟持される。このとき、一対の爪（４２）（４２）の先端面は、垂直な平坦面によって構成されるとともに、その先端面が当接支持される１次成形品（Ｗ１）のピンボス予定部（８３）（８３）の外側面も垂直面によって構成されているため、互いに面接触することにより、１次成形品（Ｗ１）のトランスファ装置に対する位置決めが図られる。すなわち爪（４２）（４２）によって挟持される際に、１次成形品（Ｗ１）の位置がずれていると、爪（４２）（４２）の先端面の外周端縁がピンボス予定部（８３）（８３）の外側面に当接してガイドされることにより、１次成形品（Ｗ１）が微動しながら位置を修正していく。こうして１次成形品（Ｗ１）の位置ずれが吸収されていき、位置決めが正確に図られたところで、爪（４２）（４２）の先端面が、ピンボス予定部（８３）（８３）の外側面に面接触する。このように１次成形品（Ｗ１）が、精度良く位置決めされた状態で、トランスファ装置の一対の爪（４２）（４２）に挟持される。
【０１３８】
その後、上記と同様に、一対のフィードバー（４１）（４１）の移動により、一対の爪（４２）（４２）に挟持された１次成形品（Ｗ１）が２次成形部まで移動し、そこで一対のフィードバー（４１）（４１）が開いて、１次成形品（Ｗ１）が、２次成形金型（２）の下金型（２１）における成形孔（１２）内に投入される。
【０１３９】
その後、上記と同様に、２次成形が行われて、トランスファ装置によって、ワーク排出部に移載されて、排出されるものである。
【０１４０】
この変形例の多段式鍛造加工装置においても、上記と同様に、同様の作用効果を得ることができる。
【０１４１】
その上さらにこの変形例においては、１次成形品（Ｗ１）に、位置決め用に格別な成形部を形成する必要がなく、シンプルな形状の１次成形品（Ｗ１）を採用するものであるため、簡単に実施することができる。
【０１４２】
なお上記実施形態においては、ワーク（Ｗ）側に位置決め用として凸部（８５）を形成し、爪（４２）側に凹部（４５）を形成して、凹凸係合させるようにしているが、それだけに限られず、本発明においては、ワーク側に位置決め用の凹部を形成し、爪側に凸部を形成して、凹凸係合させることにより、位置決めを図るようにしても良い。
【０１４３】
さらに上記実施形態においては、１次成形部および２次成形部の２つの成形部でワークを成形するようにしているが、本発明において成形部は２つに限られることはなく、成形部が１つであっても、３つ以上であっても良い。さらに成形部を複数設ける場合には、すべての成形部で型鍛造加工を行う必要はなく、鍛造以外の成形例えば、プレス加工によるバリ除去工程等を採用するようにしても良い。
【産業上の利用可能性】
【０１４４】
この発明の鍛造加工方法は、移載されるワークに対して鍛造加工を行うようにした鍛造加工技術に適用することができる。
【図面の簡単な説明】
【０１４５】
【図１】この発明の実施形態である鍛造加工方法が適用可能な鍛造加工装置を示す平面図である。
【図２】実施形態の鍛造加工装置を示す側面図である。
【図３】図１の装置における２組目の爪部分を拡大して示す平面図である。
【図４】実施形態の鍛造加工装置によって製造されるピストン素材を示す正面図である。
【図５】実施形態の鍛造加工装置によって製造される１次成形品を示す斜視図である。
【図６】実施形態の鍛造加工装置によって製造される１次成形品を示す図であって、同図（ａ）は平面図、同図（ｂ）は正面断面図、同図（ｃ）は側面断面図である。
【図７】実施形態の鍛造加工装置に採用される鍛造素材を示す斜視図である。
【図８】実施形態の鍛造加工装置における１次成形用金型を示す正面断面図である。
【図９】実施形態の鍛造加工装置における２次成形用金型を示す正面断面図である。
【図１０】実施形態における２次成形用金型の下金型を示す図であって、同図（ａ）は平面図、同図（ｂ）は正面断面図、同図（ｃ）は側面断面図である。
【図１１】実施形態の鍛造加工装置において１次成形品を２次成形用金型の成形孔に投入する直前の状態を部分的に拡大して示す正面断面図である。
【図１２】この発明の変形例である鍛造加工方法が適用可能な鍛造加工装置における爪周辺を拡大して示す図であって、同図（ａ）は平面図、同図（ｂ）は正面図である。
【図１３】変形例の鍛造加工装置によって製造される１次成形品を示す斜視図である。
【図１４】変形例の鍛造加工装置によって製造される１次成形品を示す図であって、同図（ａ）は平面図、同図（ｂ）は側面断面図、同図（ｃ）は正面断面図である。
【図１５】変形例の鍛造加工装置における１次成形金型を示す正面断面図である。
【図１６】変形例の鍛造加工装置における２次成形金型を示す正面断面図である。
【符号の説明】
【０１４６】
１…１次成形金型
２…２次成形金型
４…トランスファ装置
４１…フィードバー
４２…爪
４５…位置決め凹部（被係合部）
５０…ワーク搬入部
５１…１次成形部（第１ワーク処理部）
５２…２次成形部（第２ワーク処理部）
５４…ワーク排出部
８２…スカート予定部
８５…位置決め凸部（係合部）
８６…ガイド部
９１…ランド部
９２…スカート部
９３…ピンボス部
Ｗ…ワーク
Ｗ０…ワーク素材
Ｗ１…１次成形品
Ｗ２…２次成形品（ピストン素材、鍛造加工品）